(57)【要約】【課題】就寝中の敷き布団を覆う上掛け毛布や上掛け布団のずれ肌蹴を防止し、寝具の保温効果を就寝中持続し、寝冷えをせずに起床時まで安眠することと共に窮屈さや使い心地の悪さもなく、取扱いも容易な寝具を提供することを目的としてなされたものである。【解決手段】本考案のずれ肌蹴防止用上掛け寝具は敷き布団を覆う上掛け寝具の足下側に、折返して成る該上掛け寝具と同じ幅で、足下部から頭部にかけての長さは、３分の２の折返用布を該上掛け寝具に縫い合せ固定する。その縫い合せした部分から、該折返用布を敷き布団の足下側の底面から頭部側に敷き込み、該折返用布の両側面を該上掛け寝具の対向面に着脱自在にファスナーで固定し、袋形状にしたものである。【選択図】図１
0003145759.tif 000002
【実用新案登録請求の範囲】
【請求項１】
敷き布団を覆う上掛け寝具の足下側に頭部側に３分の２折返して成る折返用布が縫い付けられ、その両側面を該上掛け寝具の対向面に着脱自在に固定すると共に、該上掛け寝具に縫い込まれた折返用布を敷き布団の足下側の底面に敷き込むようにしたことを特徴とする就寝中のずれ肌蹴防止用上掛け寝具。
【請求項２】
前記該上掛け寝具の足下側に折返して成る縫い付けられた折返用布に、その両側面を該上掛け寝具の対向面に着脱自在に固定する手段としてファスナーを用いたことを特徴とする請求項１記載の就寝中のずれ肌蹴防止用上掛け寝具。
【請求項３】
前記該上掛け寝具の足下側に折返して成る縫い付けられた折返用布に、その両側面を該上掛け寝具の対向面に着脱自在に固定する手段として取り付けたファスナーの上止め位置を、就寝者が寝返りをするのに十分な余裕のため、かつ、寝起きの際に該上掛け寝具を剥ぐ動作に支障が生じないように調整することが出来ることを特徴とする請求項１記載の就寝中のずれ肌蹴防止用上掛け寝具。
【考案の詳細な説明】
【技術分野】
【０００１】この考案は、就寝中に寝返りなどで掛け毛布や掛け布団がずれて肌蹴けることにより、本来の布団の保温効果が低下し体を冷やし、寝冷えをして体調を崩してしまうことを防止する。特に肌蹴防止、足元保温寝具に関するものである。
【背景技術】
【０００２】従来は、敷き布団を敷き、その上に掛け毛布又は掛け布団を掛け重ねて就寝する。掛け毛布や掛け布団等を敷き布団に重ねただけでは、睡眠中における就寝者の寝返り等の動きによって掛け毛布や掛け布団がずれたり肌蹴たりしてしまい寝冷えを生じてしまう。【０００３】また、上記のように上掛け寝具が肌蹴ない場合でもずれにより就寝者の足元に生ずる隙間が拡大して、寝具の保温機能が低下し足元を保温状態に保つことが困難であり、冷え性などの人にとっては就寝を妨げてしまう。【０００４】上掛け寝具類のずれ肌蹴を防止するため、従来では上掛け毛布など上掛け寝具の周囲を敷き布団の下面に繰り込んで裾や側面を押さえることや、敷き布団と上掛け布団とを紐部材やクリップで止着し相互がずれ移動しないように連結し、寝具をいわば寝袋状にすることなどがおこなわれている。【０００５】しかし、敷き布団の下面に繰り込んで裾や側面を押さえた場合は、敷き布団と上掛け寝具との隙間が窮屈で、就寝時寝返りすら出来難く、寝心地が悪くなる一方、押さえが外れるとずれ肌蹴が生じてしまう。【０００６】なお、紐部材などで上下寝具を連結し寝袋状態の場合でも上下寝具の隙間が少ないため窮屈であるが、紐部材などの連結状況を緩やかにすれば窮屈さは解消され、紐部材などが解けたり外れたりしない限り効果は持続するものの、寝起きの動作時に上掛け寝具を剥ぐことができないので、使い心地が悪く、また寝具を敷設したり、畳んで収納するとき連結部材を結んだり解いたりする必要があり、寝具の扱いが面倒となる問題があった。
【考案の開示】
【考案が解決しようとする課題】
【０００７】本考案は、上記の問題点を解消するためになされたもので、就寝中の敷き布団を覆う上掛け毛布や上掛け布団のずれ肌蹴を防止し、寝具の保温効果を就寝中持続し、寝冷えをせずに起床時まで安眠することと共に窮屈さや使い心地の悪さもなく、取扱いも容易な寝具を提供することを目的としてなされたものである。
【課題を解決するための手段】
【０００８】本考案の目的を達成するために、本考案のずれ肌蹴防止用上掛け寝具は敷き布団を覆う上掛け寝具の足下側に、折返して成る該上掛け寝具と同じ幅で、足下部から頭部にかけての長さは、３分の２の折返用布を該上掛け寝具に縫い合せ固定する。その縫い合せした部分から、該折返用布を敷き布団の足下側の底面から頭部側に敷き込み、該折返用布の両側面を該上掛け寝具の対向面に着脱自在に固定し、袋形状にしたものである。【０００９】また、前記該上掛け寝具の足下側に縫い付ける折返用布の両側面と該上掛け寝具の対向面に着脱自在に固定する手段としてファスナーを用いる。そのファスナーは該上掛け寝具の足下側の両側面部の端分を始点とし頭部側に向かって開閉をするようにしたものである。【００１０】折返用布を設ける上掛け寝具は寝具カバーを覆って使用する場合と寝具カバーを覆わずそのままで使用する場合とがある、上掛け寝具に折返用布が設けられていても、寝具カバーを覆ってしまった場合、折返用布は寝具カバーの中に閉じ込めてしまわれるため使用できなくなってしまうので、寝具カバーにおいても同様な折返用布を設けるものとする。
【考案の効果】
【００１１】よって、本考案の「就寝中のずれ肌蹴防止用上掛け寝具」は、袋形状になる為、上掛け寝具が肌蹴ることはなく寝具の保温効果を就寝中持続し、寝冷えをせずに起床時まで安眠することができる。なお、上掛け寝具と折返用布の両端部分がファスナーで連結しているので就寝者が寝返りをするのに十分な余裕があり窮屈さはなく、寝起きの際に寝具を剥ぐ動作にもファスナーの上止め位置を左右自在に調整することにより支障はなく使い心地も悪くならない。【００１２】上掛け寝具は、季節に応じで（室内の空調温度）夏季はタオルケットや夏掛け布団（薄掛け布団）のみで就寝するが、冬季では毛布に上掛け布団を重ねて就寝することが、一般的に行われている。上掛け寝具１枚のみでの就寝ではその上掛け寝具に本考案がなされていれば、ずれ肌蹴は防止されるが、何枚か重ねたときは肌掛け寝具のみに、例えば毛布に布団を重ねた場合は毛布に本考案がなされていて、重ねた布団に本考案が施されていない場合において、重ねた布団のずれ肌蹴が生じてしまうのではないかと心配される。しかし、１年間実験をいたしましたが、就寝を妨げる障害は生じておりません。重ねられた上掛け寝具（タオルケット、毛布、布団、布団や毛布等のカバー、等掛けるもののすべてに本考案が施されていて、その使用がなされることが好ましい。【００１３】さらに、構造も簡単なため、軽便に使用でき、取扱いも容易な寝具を提供できるなど種々の効果を有する。
【考案を実施するための最良の形態】以下、本考案の実施例について図面を参照しながら説明する。
【実施例】
【００１４】図１は、本考案の「就寝中のずれ肌蹴防止用上掛け寝具」を取り付け就寝している状態の説明図（平面図）である。図２はその斜視図で、図３は就寝時に起き上った状態の立面図である。図４は本考案の上掛け寝具の裏面の展開図である。図５は図１のＡ−Ａ線に沿う断面図である。【００１５】本実施例においては、図１に示すように、敷布団１を覆う上掛け寝具２の足下側に縫い合わされている折返用布３が敷布団１の足下側の底面に敷き込まれ、ファスナーのエレメントの下止部分より上止部分までの間がファスナーで閉じられた袋状態となる。なお、この様な状態は従来から行われている上掛け寝具を敷き布団に巻き込むことによる袋状態ではないので寝返り余裕があり寝返りには一切支障を生じないので、寝苦しさは生じることはない。【００１６】就寝中に寝返り等により上掛け寝具２がずれたり肌蹴たりは、袋状態であるため生じることはなく、寝具としての保温機能は低下せず寝冷えることはなく快適な睡眠を摂ることができる。【００１７】また、寝起きの際に寝具を剥ぐ動作にも図３で示すとおり、上掛け寝具と敷き布団に敷き込んだ折返用布３を連結しているファスナー４のファスナーのエレメントの上止部の位置を調整が容易にすることができるので、支障は生じずに寝具の使い心地は悪くならない。
【図面の簡単な説明】
【００１８】
【図１】本考案の実施例による「ずれ肌蹴防止用上掛け寝具」を使用した状態を示す説明図である。ファスナーは上掛け寝具の裏面に取り付けられて閉じられている状態を示したものである。
【図２】本考案の実施例による「ずれ肌蹴防止用上掛け寝具」を使用した状態を示す斜視図である。
【図３】本考案の実施例による「ずれ肌蹴防止用上掛け寝具」を使用した状態を示す立体図である。
【図４】本考案の実施例による「ずれ肌蹴防止用上掛け寝具」の裏面の展開図である。
【図５】本考案の実施例による「ずれ肌蹴防止用上掛け寝具」を使用した状態を示す断面図である。
【符号の説明】
１・・・敷き布団
２・・・上掛け寝具（表面）
２ｂ・・上掛け寝具（裏面）
３・・・折返用布
４・・・ファスナー
５・・・ファスナーのスライダーの引手
６・・・ファスナーのエレメントの下止
７・・・ファスナーのエレメントの上止
【図１】
0003145759.tif 000003
【図２】
0003145759.tif 000004
【図３】
0003145759.tif 000005
【図４】
0003145759.tif 000006
【図５】
0003145759.tif 000007